(57)【要約】【課題】Ｆ２Ｆ方式における磁気情報の読み取りエラーを生じなくすること。【解決手段】Ｆ２Ｆ方式における磁気情報の書込制御を、単位長と２倍長のみによる理想的な書込タイミングから、ピークシフトの逆方向に所定の書込ずれ時間をもって変動させ、この変動させたタイミングで磁気ヘッドを駆動して磁気情報を書き込むので、ピークシフトを見越した長さで磁気データの書込制御をおこない、ピークシフトが発生する系でも予めシフト分をキャンセルする。【選択図】        図１
2004158159.tif 000002
【特許請求の範囲】
【請求項１】
Ｆ２Ｆ方式における磁気情報の書込制御を、単位長と２倍長のみによる理想的な書込タイミングから、ピークシフトの逆方向に所定の書込ずれ時間をもって変動させ、この変動させたタイミングで磁気ヘッドを駆動して磁気情報を書き込むことを特徴とする磁気記録制御方法。
【請求項２】
Ｆ２Ｆ方式における磁気情報の書込制御を、単位長と２倍長のみによる理想的な書込タイミングから、
ビット１に続くビットが０である場合は書込ずれ時間なく、
ビット１に続くビットが１である場合は所定の書込ずれ時間Δｔをもって、
ビット０に続くビットが０である場合は所定の書込ずれ時間Δｔをもって、
ビット０に続くビットが１である場合は所定の書込ずれ時間２Δｔをもって、変動させ、この変動させたタイミングで磁気ヘッドを駆動して磁気情報を書き込むことを特徴とする磁気記録制御方法。
【請求項３】
Ｆ２Ｆ方式における磁気情報の書込制御を、単位長と２倍長のみによる理想的な書込タイミングから、ピークシフトの逆方向に所定の書込ずれ時間をもって変動させ、この変動させたタイミングで磁気ヘッドを駆動して磁気情報を書き込むことを特徴とする磁気記録制御装置。
【請求項４】
Ｆ２Ｆ方式における磁気情報の書込制御を、単位長と２倍長のみによる理想的な書込タイミングから、
ビット１に続くビットが０である場合は書込ずれ時間なく、
ビット１に続くビットが１である場合は所定の書込ずれ時間Δｔをもって、
ビット０に続くビットが０である場合は所定の書込ずれ時間Δｔをもって、
ビット０に続くビットが１である場合は所定の書込ずれ時間２Δｔをもって、変動させ、この変動させたタイミングで磁気ヘッドを駆動して磁気情報を書き込むことを特徴とする磁気記録制御装置。
【発明の詳細な説明】
【０００１】
【発明の属する技術分野】
本発明は、磁気記録制御方法および磁気記録制御装置に関し、特に、実際に書き込まれたときのピークシフトを見越して予めピークシフトをキャンセルする磁気記録制御方法および磁気記録制御装置に関する。
【０００２】
【従来の技術】
従来、磁気カードのような磁気スプライト技術に適用される信号としてＦ２Ｆ信号方式が知られている。図４は、Ｆ２Ｆ信号の例を示した説明図である。Ｆ２Ｆ信号は、単位長で表現される信号１（ビット１またはＦ信号とも称される）と、２倍長で表現される信号０（ビット０または２Ｆ信号とも称される）により構成される。磁気ヘッドは、磁気スプライトを走査して磁気情報を読み込むことにより、Ｆ２Ｆ信号がバイナリデータとして復元される。また、磁気ヘッドは、磁気ストライプを走査するときに走査距離や所定のエンコーダパルスに同期してＦ２Ｆ信号をカードに記録する。
【０００３】
従来ではこのようなＦ２Ｆ方式で実現される簡便な構成により、航空券、ショッピングカード、プリペイドカード、ホテルカードキーなど、比較的情報量が少なくて済む磁気カードが多種多様に展開されていた。
【０００４】
【特許文献１】
特開平８−３２９６１８号公報
【特許文献２】
特開２００１−１３５０３４号公報
【特許文献３】
実開平６−５２００３号公報
【特許文献４】
特開平８−２２１８８３号公報
【０００５】
【発明が解決しようとする課題】
しかしながら、従来の技術では以下の問題点があった。
【０００６】
Ｆ２Ｆ信号は、単位長と２倍長のみによる理想的な書込タイミングで磁気ヘッドを駆動しても、磁気特性の影響などにより実際に書き込まれた磁気データは、信号０に対して信号１が相対的に長くなる現象（いわゆるピークシフト）が発生する場合がある。また、同様に磁気特性などの影響により読み取り時に信号０に対して信号１が相対的に長く読み出されピークシフトが発生する場合がある。
【０００７】
図５は、駆動信号と実際に書き込まれた磁気データの様子を示した図である。図示したように、本体は単位長とその２倍長で決定付けられる信号パルス幅の境界があいまいになっている。ピークシフトがあると、読み取り時に信号０か信号１かの判定ができなくなる。従って、従来ではピークシフトにより読み取りエラーが発生する場合があるという問題点があった。
【０００８】
本発明は上記に鑑みてなされたものであって、Ｆ２Ｆ方式における磁気情報の読み取りエラーを生じさせないことを目的とする。
【０００９】
【課題を解決するための手段】
上記の目的を達成するために、請求項１に記載の磁気記録制御方法および請求項３に記載の磁気記録制御装置は、Ｆ２Ｆ方式における磁気情報の書込制御を、単位長と２倍長のみによる理想的な書込タイミングから、ピークシフトの逆方向に所定の書込ずれ時間をもって変動させ、この変動させたタイミングで磁気ヘッドを駆動して磁気情報を書き込むことを特徴とする。
【００１０】
また、請求項２に記載の磁気記録制御方法および請求項４に記載の磁気記録制御装置は、Ｆ２Ｆ方式における磁気情報の書込制御を、単位長と２倍長のみによる理想的な書込タイミングから、ビット１に続くビットが０である場合は書込ずれ時間なく、ビット１に続くビットが１である場合は所定の書込ずれ時間Δｔをもって、ビット０に続くビットが０である場合は所定の書込ずれ時間Δｔをもって、ビット０に続くビットが１である場合は所定の書込ずれ時間２Δｔをもって、変動させ、この変動させたタイミングで磁気ヘッドを駆動して磁気情報を書き込むことを特徴とする。
【００１１】
すなわち、本発明は、ピークシフトを見越した長さで磁気データの書込制御をおこなう。換言すれば、ピークシフトが発生する系でも予めシフト分をキャンセルする。なお、書込ずれは、遅延してずらしてもよいし前倒ししてずらしてもよい。
【００１２】
【発明の実施の形態】
以下、本発明の実施の形態を図面を参照しながら詳細に説明する。
【００１３】
図１は、本発明の磁気記録制御装置の一実施の形態を示したブロック図である。磁気記録制御装置１００は、カードを搬送するモータ１０１と、モータ１０１の回転に同期してアナログのエンコーダ信号を出力するエンコーダ１０２と、エンコーダ１０２から出力されたエンコーダ信号をデジタルのエンコーダパルス信号に変形する波形整形回路１０３と、エンコーダパルス信号に同期してＦ２Ｆ信号を生成するマイコン１０４と、マイコン１０４から出力されたＦ２Ｆ信号を磁気情報の書込電流に変換するヘッドアンプ１０５と、書込電流により駆動され、実際に磁気ストライプ領域にＮ極性またはＳ極性の磁気情報を書き込む磁気ヘッド１０６と、を有する。
【００１４】
マイコン１０４は入出力ポート（Ｉ／Ｏポート）を内蔵する一般的なワンチップマイコンであって、Ｆ２Ｆ信号は全てソフトウェア制御により生成されるものとする。なお、図１に示した磁気記録制御装置１００は、一例であり、これに限定されるものではない。例えば、カード搬送にパルスモータを用いる場合やカードの移動に従って回転するように搬送路に設けられたロータリーエンコーダを用いる場合は、モータ１０１、エンコーダ１０２および波形整形回路１０３を、適宜設計変更することができる。
【００１５】
図２は、マイコン１０４から出力される本発明にかかるＦ２Ｆ信号例を示した説明図である。このうち図２（ａ）は、単位長と２倍長のみによる理想的な書込タイミングをＦ２Ｆ信号表現した図である。図２（ｂ）は、これに対し、本発明にかかる書込タイミングをＦ２Ｆ信号表現した図である。図から明らかなように、理想的なタイミングから、遅延量０、Δｔ、２Δｔずれた書込タイミングで制御されていることが分かる。図３は、信号の変化と遅延量の関係を示した図である。
【００１６】
磁気記録制御装置１００は、信号０に対して信号１が相対的に長くなる現象を予めキャンセルすべく書込制御している。Δｔは、読出エラーが生じないように、０信号の読み出し長さと１信号の読み出し長さが２：１となるように設定する。なお、磁気スプライトを構成する磁気素材の種類や磁気記録制御装置の構成によりピークシフト量が変動するため、適宜Δｔをマイコン１０４で調整可能としてもよい。
【００１７】
以上の例では、Δｔを理想的な書込タイミングから遅延させる量としているが、使用の態様によっては、書込の前倒し制御をおこなってもよい。
【００１８】
【発明の効果】
以上説明したように、本発明（請求項１または請求項３）によれば、Ｆ２Ｆ方式における磁気情報の書込制御を、単位長と２倍長のみによる理想的な書込タイミングから、ピークシフトの逆方向に所定の書込ずれ時間をもって変動させ、この変動させたタイミングで磁気ヘッドを駆動して磁気情報を書き込むので、ピークシフトを見越した長さで磁気データの書込制御をおこない、ピークシフトが発生する系でも予めシフト分をキャンセルする。これにより、読み取りエラーを生じなくすることが可能となる。
【００１９】
また、本発明（請求項２または請求項４）によれば、Ｆ２Ｆ方式における磁気情報の書込制御を、単位長と２倍長のみによる理想的な書込タイミングから、ビット１に続くビットが０である場合は書込ずれ時間なく、ビット１に続くビットが１である場合は所定の書込ずれ時間Δｔをもって、ビット０に続くビットが０である場合は所定の書込ずれ時間Δｔをもって、ビット０に続くビットが１である場合は所定の書込ずれ時間２Δｔをもって、変動させ、この変動させたタイミングで磁気ヘッドを駆動して磁気情報を書き込むので、ピークシフトを見越した長さで磁気データの書込制御をおこない、ピークシフトが発生する系でも予めシフト分をキャンセルする。これにより、読み取りエラーを生じなくすることが可能となる。
【図面の簡単な説明】
【図１】
本発明の磁気記録制御装置の一実施の形態を示したブロック図である。
【図２】
マイコンから出力される本発明にかかるＦ２Ｆ信号例を示した説明図である。
【図３】
信号の変化と遅延量の関係を示した図である。
【図４】
Ｆ２Ｆ信号の例を示した説明図である。
【図５】
駆動信号と実際に書き込まれた磁気データの様子を示した図である。
【符号の説明】
１００  磁気記録制御装置
１０１  モータ
１０２  エンコーダ
１０３  波形整形回路
１０４  マイコン
１０５  ヘッドアンプ
１０６  磁気ヘッド
【図１】
2004158159.tif 000003
【図２】
2004158159.tif 000004
【図３】
2004158159.tif 000005
【図４】
2004158159.tif 000006
【図５】
2004158159.tif 000007